(57)【要約】【課題】光情報記録媒体用の透明層を製造するにあたり、ハードコート層を形成したベースを巻き取る際のミスアライメントを簡単に吸収できるようにする。【解決手段】基材フィルムとなるベースＢの原反からベースＢを搬送させつつベースＢにハードコート層を形成して、光情報記録媒体用の透明層を製造する光情報記録媒体用の透明層の製造方法であって、ハードコート層を形成したベースＢを巻芯ａに巻き取る巻き取り工程を有し、巻き取り工程は、ベースＢの巻芯ａと接触する側の面に、ベースＢの幅に渡って液体１５を塗布する液体塗布工程と、ベースＢと巻芯ａとを液体１５を介して接触させてベースＢを巻芯ａに巻き付ける巻き付け工程とを含み、巻き付け後に巻芯ａを回転させてベースＢの巻き取りを開始する。【選択図】図３
2006092590.tif 000002
【特許請求の範囲】
【請求項１】
基材フィルムとなるベースの原反から前記ベースを搬送させつつ前記ベースにハードコート層を形成して、光情報記録媒体用の透明層を製造する光情報記録媒体用の透明層の製造方法であって、
前記ハードコート層を形成したベースを巻芯に巻き取る巻き取り工程を有し、
前記巻き取り工程は、前記ベースの前記巻芯と接触する側の面に、前記ベースの略幅に渡って液体を塗布する液体塗布工程と、前記ベースと前記巻芯とを前記液体を介して接触させて前記ベースを前記巻芯に巻き付ける巻き付け工程とを含み、前記巻き付け後に前記巻芯を回転させて前記ベースの巻き取りを開始する光情報記録媒体用の透明層の製造方法。
【請求項２】
基材フィルムとなるベースの原反から前記ベースを搬送させつつ前記ベースにハードコート層を形成して、光情報記録媒体用の透明層を製造する光情報記録媒体用の透明層の製造方法であって、
前記ハードコート層を形成したベースを巻芯に巻き取る巻き取り工程を有し、
前記巻き取り工程は、前記巻芯の周面の少なくとも前記ベースを巻き付けるべき領域に、少なくとも前記領域の略幅に渡って液体を塗布する液体塗布工程と、前記ベースと前記巻芯とを前記液体を介して接触させて前記ベースを前記巻芯に巻き付ける巻き付け工程とを含み、前記巻き付け後に前記巻芯を回転させて前記ベースの巻き取りを開始する光情報記録媒体用の透明層の製造方法。
【請求項３】
請求項２記載の光情報記録媒体用の透明層の製造方法であって、
前記液体塗布工程は、前記巻芯の周面の前記ベースを巻き付けるべき領域の全体に前記液体を塗布する光情報記録媒体用の透明層の製造方法。
【請求項４】
請求項２記載の光情報記録媒体用の透明層の製造方法であって、
前記液体塗布工程は、前記巻芯の周面の前記ベースを巻き付けるべき領域を跨いで、前記巻芯の軸方向に前記領域の幅以上に前記液体を塗布する光情報記録媒体用の透明層の製造方法。
【請求項５】
請求項４記載の光情報記録媒体用の透明層の製造方法であって、
前記液体塗布工程は、前記巻芯の周面の全体に前記液体を塗布する光情報記録媒体用の透明層の製造方法。
【請求項６】
請求項１〜５のいずれか記載の光情報記録媒体用の透明層の製造方法であって、
前記基材フィルムは、Ｒａが０．５ｎｍ〜１０ｎｍの材料である光情報記録媒体用の透明層の製造方法。
【請求項７】
請求項６記載の光情報記録媒体用の透明層の製造方法であって、
前記基材フィルムは、Ｒａが１．０ｎｍ〜５ｎｍの材料である光情報記録媒体用の透明層の製造方法。
【請求項８】
請求項６又は７記載の光情報記録媒体用の透明層の製造方法であって、
前記ベースは、ポリカーボネートベースである光情報記録媒体用の透明層の製造方法。
【請求項９】
請求項１〜８のいずれか記載の光情報記録媒体用の透明層の製造方法であって、
前記液体が実質的に溶質を含まない光情報記録媒体用の透明層の製造方法。
【請求項１０】
請求項１〜９のいずれか記載の光情報記録媒体用の透明層の製造方法であって、
前記液体がアルコールである光情報記録媒体用の透明層の製造方法。
【請求項１１】
請求項１〜９のいずれか記載の光情報記録媒体用の透明層の製造方法であって、
前記液体が水である光情報記録媒体用の透明層の製造方法。
【発明の詳細な説明】
【技術分野】
【０００１】
本発明は、基材フィルムとなるベースの原反から前記ベースを搬送させつつ前記ベースにハードコート層を形成して、光情報記録媒体用の透明層を製造する光情報記録媒体用の透明層の製造方法に関する。
【背景技術】
【０００２】
現在、デジタル・ハイ・ビジョンＴＶ放送の録画に対応するため、高密度光情報記録媒体（ＤＶＤ）よりも更に高密度記録を可能とする光情報記録媒体の研究が進められており、青紫色レーザと高ＮＡ（開口数（Numerical Aperture））ピックアップとを使用した光ディスクシステムが開発されている。
【０００３】
このような光ディスクシステムとしては、例えば、ブルー・レイ・ディスク（Blu-ray Disk）と称される次世代光ディスク規格がある。ブルー・レイ・ディスクは、基板上に記録層と、該記録層のレーザ入射側に透明層とを備えた光情報記録媒体である。透明層は、例えば下記特許文献１に示すように、ポリカーボネートからなる光透過層の表面に、傷付き防止のためのハードコート層が塗布されてなる。
【０００４】
上記透明層を製造する製造装置は、例えば、透明層の基材フィルムとして用いられるポリカーボネート製ベースを巻芯に巻回して得られるベース原反と、ベース原反からベースを送り出して搬送するための駆動ローラと、駆動ローラによって搬送されるベースにハードコート層を形成するための紫外線硬化性組成物を塗布部材によって塗布する塗布部と、塗布部により塗布された紫外線硬化性組成物を乾燥する乾燥部と、乾燥部により乾燥された紫外線硬化性組成物を紫外線照射により硬化させる紫外線照射部と、紫外線照射部を通過したベースを巻芯に巻き取る巻取部とを備える。
【０００５】
図７は、従来の透明層の製造装置の巻取部でのベースの巻き取り方法を説明するための図である。
図７に示すように、ハードコート層が形成されたベース２１は、人２３によってその先端部が持たれた状態で、巻芯２０に巻き付けられる。巻き付け前には、人２３が、ベース２１の巻芯２０との接触面（ハードコート層が形成されている面）に、巻芯２０の軸方向に沿って長方形形状の両面テープ２２を貼り付けておく。そして、両面テープ２２を巻芯２０に貼り付けることで、ベース２１を巻芯２０に固定する。固定した後は、ベース２１の両面テープ２２で固定されている部分よりも先端側をカッター等で切断する。そして、巻芯２０を矢印の方向に回転させて、ベース２１の巻き取りを開始する。
【０００６】
【特許文献１】特開２０００−６７４６８号公報
【発明の開示】
【発明が解決しようとする課題】
【０００７】
ブルー・レイ・ディスクの透明層に用いられるベースは、製造段階ではその幅が広いため、ベースを巻芯に巻き付ける際に、ミスアライメントが発生しやすく、テンションの不均一が顕著に表れてしまう。上記方法では、巻芯にベースを固定する手段として両面テープを用いているため、一旦、両面テープを巻芯に貼り付けてしまうと、その後は、ベースの位置調整はできなくなってしまい、ミスアライメントを吸収することが困難になってしまう。特に、ポリカーボネートベースのように滑りにくい材料を用いる場合には、ベースと巻芯との摩擦力が強くなり、ミスアライメントを吸収することはかなり難しい。
【０００８】
本発明は、上記事情に鑑みてなされたものであり、光情報記録媒体用の透明層を製造するにあたり、ハードコート層を形成したベースを巻き取る際のミスアライメントを簡単に吸収できるようにすることにある。
【課題を解決するための手段】
【０００９】
本発明の光情報記録媒体用の透明層の製造方法は、基材フィルムとなるベースの原反から前記ベースを搬送させつつ前記ベースにハードコート層を形成して、光情報記録媒体用の透明層を製造する光情報記録媒体用の透明層の製造方法であって、前記ハードコート層を形成したベースを巻芯に巻き取る巻き取り工程を有し、前記巻き取り工程は、前記ベースの前記巻芯と接触する側の面に、前記ベースの略幅に渡って液体を塗布する液体塗布工程と、前記ベースと前記巻芯とを前記液体を介して接触させて前記ベースを前記巻芯に巻き付ける巻き付け工程とを含み、前記巻き付け後に前記巻芯を回転させて前記ベースの巻き取りを開始する。
【００１０】
上記方法のように、ベースの巻芯との接触面に、ベースの幅に渡って液体を塗布してからベースの巻き付けを行うことで、液体を介して接触している部分では、巻き付け後のベースを巻芯上で移動させることが可能となり、ミスアライメントがあっても、それを簡単に吸収することができる。
【００１１】
本発明の光情報記録媒体用の透明層の製造方法は、基材フィルムとなるベースの原反から前記ベースを搬送させつつ前記ベースにハードコート層を形成して、光情報記録媒体用の透明層を製造する光情報記録媒体用の透明層の製造方法であって、前記ハードコート層を形成したベースを巻芯に巻き取る巻き取り工程を有し、前記巻き取り工程は、前記巻芯の周面の少なくとも前記ベースを巻き付けるべき領域に、少なくとも前記領域の略幅に渡って液体を塗布する液体塗布工程と、前記ベースと前記巻芯とを前記液体を介して接触させて前記ベースを前記巻芯に巻き付ける巻き付け工程とを含み、前記巻き付け後に前記巻芯を回転させて前記ベースの巻き取りを開始する。
【００１２】
上記方法のように、巻芯の周面の少なくともベースを巻き付けるべき領域に、少なくともベースの幅に渡って液体を塗布してからベースの巻き付けを行うことで、液体を介して接触している部分では、巻き付け後のベースを巻芯上で移動させることが可能となり、ミスアライメントがあっても、それを簡単に吸収することができる。
【００１３】
本発明の光情報記録媒体用の透明層の製造方法は、前記液体塗布工程が、前記巻芯の周面の前記ベースを巻き付けるべき領域の全体に前記液体を塗布する。
【００１４】
本発明の光情報記録媒体用の透明層の製造方法は、前記液体塗布工程が、前記巻芯の周面の前記ベースを巻き付けるべき領域を跨いで、前記巻芯の軸方向に前記領域の幅以上に前記液体を塗布する。
【００１５】
この方法により、ベースの巻き付け位置が、ベースを巻き付けるべき領域からずれた場合でも、その位置を簡単に直すことが可能になる。
【００１６】
本発明の光情報記録媒体用の透明層の製造方法は、前記液体塗布工程が、前記巻芯の周面の全体に前記液体を塗布する。
【００１７】
この方法により、巻き付け後のベースの移動の自由度が向上するため、ミスアライメントを完全に吸収することも可能になる。
【００１８】
本発明の光情報記録媒体用の透明層の製造方法は、前記基材フィルムが、Ｒａが０．５ｎｍ〜１０ｎｍの材料である。
【００１９】
本発明の光情報記録媒体用の透明層の製造方法は、前記基材フィルムが、Ｒａが１．０ｎｍ〜５ｎｍの材料である。
【００２０】
本発明の光情報記録媒体用の透明層の製造方法は、前記ベースがポリカーボネートベースである。
【００２１】
本発明の光情報記録媒体用の透明層の製造方法は、前記液体が実質的に溶質を含まない。
【００２２】
本発明の光情報記録媒体用の透明層の製造方法は、前記液体がアルコールである。
【００２３】
本発明の光情報記録媒体用の透明層の製造方法は、前記液体が水である。
【発明の効果】
【００２４】
本発明によれば、光情報記録媒体用の透明層を製造するにあたり、ハードコート層を形成したベースを巻き取る際のミスアライメントを簡単に吸収できるようにすることができる。
【発明を実施するための最良の形態】
【００２５】
本発明でいう、光情報記録媒体とは、光学的手段によって情報信号を再生可能な情報記録媒体である。本発明の光情報記録媒体は、基本的に、基板と、記録層と、透明層とから構成される。また、光情報記録媒体において、これらの構成要素は発明内容を阻害しない範囲で相互に入れ替え又は組み合せもよい。光情報記録媒体において、これらの構成要素は、少なくとも１つずつ存在することが必要であるが、各々は複数層存在してもよく、１つの層が組成や特性の異なる複数の層から構成されてもよい。さらに、光情報記録媒体には、上記の層以外にも、静電気防止層、潤滑層、保護層、反射層などを設けてもよい。また、基板の記録層とは反対側にレーベル印刷が施されていてもよい。
【００２６】
光情報記録媒体は、例えば、ディスク形状を有し、直径など寸法は制限されない。光情報記録媒体は、カートリッジ筐体に収容保持された構成としてもよい。
【００２７】
透明層は、記録再生のために照射された光を記録層に導く機能を有するとともに、記録層を化学的且つ機械的に保護する機能を有している。本発明において「透明」とは、記録再生に用いる光学的手段の光の波長（例えば、６００ｎｍから８００ｎｍや３５０ｎｍから４５０ｎｍ）に対して光透過率７０％以上、望ましくは８５％以上であることを意味する。
【００２８】
透明層は、基材フィルム（透光性フィルム）を有し、その表面に傷付き防止のためのハードコート層が設けられたものであり、また、適宜に、粘着層や防汚層を含むことができる。基材フィルムとしては、例えば、Ｒａ＝０．５ｎｍ〜１０ｎｍ、好ましくはＲａ＝１．０ｎｍ〜５ｎｍの材料を用いる。この材料としては、例えば、ポリカーボネート、トリアセチルセルロース（ＴＡＣ）、ポリエチレンテレフタレート（ＰＥＴ）、ポリエチレンナフタレート（ＰＥＮ）、ポリイミド、ポリアミド等があげられる。
【００２９】
ハードコート層は、活性エネルギー光線、好ましくは紫外線照射により硬化する紫外線硬化性組成物を基材フィルム上に塗布、乾燥した後、紫外線の照射により該組成物を硬化させることで形成される。紫外線硬化性組成物には、紫外線照射により重合又は架橋して硬化する同一分子内に２個以上のエチレン性不飽和基を含む化合物が、好ましく使用される。
【００３０】
ハードコート層は、その厚さが１．０μｍから１０．０μｍが好ましく、２．０μｍから６．０μｍがより好ましく、２．５μｍから５．０μｍであることが特に好ましい。
【００３１】
ハードコート層の鉛筆硬度としては、Ｂ以上であることが好ましく、Ｈ以上であることがより好ましい。ここでいう鉛筆硬度とは、ＪＩＳ−Ｓ−６００６が規定する試験用鉛筆を用いて、ＪＩＳ−Ｋ−５４００が規定する鉛筆硬度評価方法に従い、９．８Ｎの荷重において傷が認められない鉛筆の硬度として求めることができる。
【００３２】
以下、本発明の実施形態を図面に基づいて詳しく説明する。
図１は、本発明に係る光情報記録媒体用の透明層の製造方法を実現するための透明層の製造装置の概略構成を示す図である。
図１に示すように、透明層の製造装置１０は、ポリカーボネートからなるベースＢを巻芯に巻回させてなるベース原反（バルク）１と、該ベースＢを巻芯ａに巻き取って保持する巻取ロール６との間で、ベース原反１から巻取ロール６へ送り出すことによってベースＢを搬送させる構成である。ベースＢの厚さは、８０μｍから１００μｍとするが、これに限らない。
【００３３】
製造装置１０は、ベースＢの搬送方向に沿って、順に、塗布部２と、プルロール３と、乾燥部４と、紫外線照射部５とを備えている。
【００３４】
塗布部２には、図示しない塗布液供給部に接続された塗布部材１３が設けられている。塗布部材１３は、該塗布液供給部から供給された塗布液を塗布ノズルとして機能する塗布ロッド１４に付着させ、該塗布ロッド１４を回転させるとともに、ベースＢの表面に塗布ロッド１４を押圧することで塗布液を塗布する構成である。
【００３５】
塗布部材１３は、ベースＢに塗布ロッド１４を押圧する位置（ラップする位置）と、ベースＢから塗布ロッド１４を離間させた位置とに任意に設定できるように移動可能な部材である。本実施形態の製造装置１０において、塗布時に塗布部材１３を移動させることで塗布ロッド１４がベースＢに押圧する位置とし、塗布時以外には、塗布ロッド１４がベースＢに対して離間する位置とする構成である。
【００３６】
本実施形態において、塗布液としては、一例として、イソプロピルアルコール（ＩＰＡ）、メチルエチルケトン（ＭＥＫ）、メチルエチルブチルケトン（ＭＩＢＫ）等の溶剤と、Ｓｉ粒子と、紫外線硬化性樹脂と、重合開始剤とからなる組成物を用いた。
【００３７】
プルロール３は、塗布時に回転駆動し、その周面においてベースＢと接触して該ベースＢを搬送させる場合に、ベースＢの搬送速度の基準となるロールである。プルロール３は、図示しないプルロール制御部に制御され、一定の速度でベースＢを搬送させる。プルロール３は、ベースＢに対する保持力を確保するため、表面に溝が設けられた構成としても良く、又、エアを吸引することでベースＢを吸着保持する構成としても良い。
【００３８】
乾燥部４は、ベースＢを搬送させつつ、該ベースＢに塗布された塗布液を乾燥させるものである。
【００３９】
紫外線照射部５は、ベースＢを搬送させた状態で、ベースＢにおける塗布液が塗布された面に紫外線を照射し、塗布層を硬化させるものである。ここで、紫外線照射部５は、塗布液を硬化させることができれば、紫外線以外の活性エネルギーの光を照射する構成としてもよい。紫外線照射部５を通過したベースＢは、巻芯ａに巻き取られて巻取ロール６が形成される。
【００４０】
次に、塗布部の構成を説明する。図２は、本実施形態における塗布部の構成を説明する図である。
図２に示すように、ベースＢの搬送方向における、塗布部材１３の上流側にはパスローラ１１が設けられ、塗布部材１３の下流側にはパスローラ１２が設けられている。
【００４１】
パスローラ１１，１２は、塗布時に、搬送されるベースＢに従って回転自在な構成である。本実施形態において、これらパスローラ１１，１２は、駆動軸や駆動モータ等の駆動系に接続されていないフリーローラである。
【００４２】
塗布時に、搬送されるベースＢに塗布部材１３が接触することで該ベースＢの搬送経路長が変化しても、搬送されるベースＢを支持するパスローラ１１，１２がフリーローラであるため、搬送されるベースＢの速度に追従するように、パスローラ１１，１２が自由に回転するようになる。このため、ベースＢとパスローラ１１，１２との接触圧が変わることに起因してスティックスリップが発生することがなく、ベースＢがパスローラ１１，１２と接触する部位において座屈してしまうことを防止することができる。
【００４３】
図３（ａ）は、図１に示す製造装置におけるベースの巻き取り方法を説明するための図であり、（ｂ）は（ａ）の状態を巻芯の真横からみたときの図である。
図３に示すように、ハードコート層が形成されたベースＢは、人１６によってその先端部が持たれた状態で、巻芯ａに巻き付けられる。巻き付け前には、人１６が、ベースＢの巻芯ａとの接触面（ハードコート層が形成されている面）の一部に、巻芯ａの軸方向（ベースＢの搬送方向と直交する方向＝ベースＢの幅方向）にベースＢの幅（ベースＢの軸方向の長さ）に渡って液体１５（図中の斜線で示す部分）を塗布しておく。
【００４４】
液体１５としては、例えばアルコールや水等を用いる。又、液体１５は、実質的に溶質を含まないものであることが望ましく、例えば、実質的に溶質を含まないアルコールや水等を用いることが望ましい。液体１５の塗布面積は、液体１５を塗布した面を巻芯ａに接触させたときに、ベースＢを巻芯ａの軸方向に簡単にずらすことができる程度の大きさであれば良い。例えば、図３（ａ）において液体１５が塗布されている部分から人１６が持っている先端部まで全てに、液体を塗布しても良い。又、液体１５の塗布量は、ベースＢの材料等に応じて適宜決めても良い。
【００４５】
尚、液体１５を塗布した面を巻芯ａに接触させたときに、ベースＢを巻芯ａの軸方向に簡単にずらすことができるのであれば、液体１５の塗布する幅は、ベースＢの幅と全く同じでなくても良く、ベースＢの幅より多少狭い幅で塗布しても良い。
【００４６】
次に、人１６は、液体１５を塗布した面を巻芯ａに接触させてベースＢを巻芯ａに巻き付ける。このとき、ベースＢと巻芯ａとは、液体１５が塗布されている部分において滑りやすくなっているため、ベースＢを巻芯ａの軸方向に簡単にずらすことができる。したがって、ミスアライメントが発生したとしても、それを簡単に吸収することができる。一方、ベースＢの液体１５が塗布されていない面と巻芯ａの周面との接触面では、ベースＢがほとんど滑らず、又、液体１５による吸着効果により、ベースＢを巻き付けた状態で、ベースＢと巻芯ａとはほぼ固定される。ベースＢを巻き付けた後は、ベースＢの液体１５が塗布されている部分よりも先端側を、図４に示すように、巻芯ａに巻き付け、巻芯ａを矢印の方向に回転させて、ベースＢの巻き取りを開始する。
【００４７】
このような方法でベースＢを巻芯ａに巻き取ることで、ミスアライメントに起因するシワ等を防ぐことが可能になる。又、本実施形態に用いるベースＢは滑りにくい材料であるため、両面テープを用いずに、ベースＢを巻芯ａに固定することができ、両面テープを用いた場合に生じる、両面テープを巻芯から剥がし難いといった問題や、剥がした後に巻芯にテープの一部が残ってしまうといった問題をなくすことができる。
【００４８】
尚、図３では、液体１５をベースＢの巻芯ａとの接触面に塗布する方法を説明したが、液体１５を巻芯ａの周面に塗布することでも同様の効果を得ることができる。この場合、巻芯ａには、ベースＢをどこに巻き付けるかが予め決まっているため、図５（ａ）に示すように、巻芯ａの周面のうち、ベースＢを巻き付けるべき領域Ｃの一部に、巻芯ａの軸方向に領域Ｃの略幅に渡って液体１５を塗布しておけば良い。
【００４９】
又、図５（ｂ）に示すように、上記領域Ｃを跨いで巻芯ａの軸方向に領域Ｃの幅以上に液体１５を塗布しておいても良い。このようにすることで、ベースＢの巻き付け位置がずれて領域ＣからベースＢがはみ出した場合でも、ベースＢと巻芯ａとの滑りやすさが低下することはなく、その位置を容易に修正することができるようになる。
【００５０】
又、巻芯ａの全周や領域Ｃの全体に液体１５を塗布しておいても良い。巻芯ａの一部にのみ液体１５が塗布されている図５に示したような形態では、ベースＢを巻芯ａに巻き付けた後のベースＢの動かせる範囲に制限があるため、ミスアライメントを完全に吸収することはできない。そこで、巻芯ａの全周や領域Ｃの全体に液体１５を塗布しておくことで、巻芯ａ上でのベースＢの動かせる範囲を広げることができ、ミスアライメントをほぼ完全に吸収することができる。
【００５１】
以下、巻芯ａの周面に液体１５を塗布する場合の巻き取り方法について説明する。
ハードコート層が形成されたベースＢは、人によってその先端部が持たれた状態で、巻芯ａに巻き付けられる。巻き付け前には、人が、巻芯ａの周面に、図５に示したような形態で、又は、巻芯ａの全周や領域Ｃの全体に渡って液体１５を塗布しておく。次に、人は、ベースＢを液体１５を塗布した面に接触させてベースＢを巻芯ａに巻き付ける。このとき、ベースＢと巻芯ａとは、液体１５が塗布されている部分において滑りやすくなっているため、ベースＢを巻芯ａの軸方向に簡単にずらすことができる。したがって、ミスアライメントが発生したとしても、それを簡単に吸収することができる。一方、ベースＢの液体１５が塗布されていない面と巻芯ａの周面との接触面では、ベースＢがほとんど滑らず、又、液体１５による吸着効果により、ベースＢを巻き付けた状態で、ベースＢと巻芯ａとはほぼ固定される。ベースＢを巻き付けた後は、ベースＢの液体１５が塗布されている部分よりも先端側を、図４に示すように、巻芯ａに巻き付け、巻芯ａを回転させて、ベースＢの巻き取りを開始する。
【００５２】
なお、本発明は、前述した実施形態に限定されるものではなく、適宜な変形、改良などが可能である。例えば、液体１５の塗布は人ではなく機械で行っても良い。
【００５３】
又、巻芯ａの回転方向を図１とは逆にし、巻芯ａへのベースＢの巻き取りを、図６に示すように、巻芯ａの下方向から行うことも可能である。
【図面の簡単な説明】
【００５４】
【図１】本発明に係る光情報記録媒体用の透明層を製造する製造装置の構成を説明する図である。
【図２】図１の製造装置における塗布部の構成を説明する図である。
【図３】（ａ）は、図１に示す製造装置におけるベースの巻き取り方法を説明するための図であり、（ｂ）は（ａ）の状態を巻芯の真横からみたときの図である。
【図４】図３（ｂ）の状態からベースを巻芯に巻き付けた状態を示す図である。
【図５】図１に示す製造装置の巻取部に用いる巻芯の斜視図である。
【図６】巻取り方法の別の例を説明するための図である。
【図７】従来の透明層の製造装置におけるベースの巻き取り方法を説明するための図である。
【符号の説明】
【００５５】
１    ベース原反
２    塗布部
３    プルローラ
４    乾燥部
５    紫外線照射部
６    巻取ロール
１０  （光情報記録媒体用の透明層の）製造装置
Ｂ    ベース
ａ    巻芯
１５  液体
１６  人
【図１】
2006092590.tif 000003
【図２】
2006092590.tif 000004
【図３】
2006092590.tif 000005
【図４】
2006092590.tif 000006
【図５】
2006092590.tif 000007
【図６】
2006092590.tif 000008
【図７】
2006092590.tif 000009